(57)【要約】【課題】その課題は、コマ位置誤認識に基づくプリント処理を改善することが可能なフィルム処理装置及びそれを具備するプリント処理システムを提供することである。【解決手段】フィルムプロセッサＦＰと、フィルムスキャナーＦＳと、搬送ユニットＦＣとを備えたフィルム処理装置ＦＡと、写真プリントを作成するプリント作成装置ＰＡとを具備するプリント処理システム１であって、プレスキャン実行手段２５ａと、コマ位置を解析するコマ位置解析手段２５ｂと、コマ位置解析手段の解析結果に基づいて、本スキャンを実行する本スキャン実行手段２５ｃとを備え、写真フィルム先端からの所定の長さのデータを格納する格納部３００を備える。コマ位置解析手段２５ｂは、当該所定の長さ分について除外してコマ位置を解析することを特徴とする。【選択図】図６
2007202058.tif 000002
【特許請求の範囲】
【請求項１】
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、この搬送ユニットにおける写真フィルムの搬送制御を行なう搬送制御部とを備えたフィルム処理装置と、
前記取得された画像データに基づいて写真プリントを作成するプリント作成装置とを具備するプリント処理システムであって、
前記写真フィルムのプレスキャンを実行するプレスキャン実行手段と、
前記プレスキャン実行により、コマ位置を解析するコマ位置解析手段と、
前記コマ位置解析手段の解析結果に基づいて、本スキャンを実行する本スキャン実行手段と
前記写真フィルム先端からの所定の長さのデータを格納する格納部と
を備えることを特徴とするプリント処理システム。
【請求項２】
前記コマ位置解析手段は、
前記写真フィルム先端からの所定の長さのデータを取得し、当該所定の長さ分について除外してコマ位置を解析することを特徴とする請求項１に記載のプリント処理システム。
【請求項３】
前記プレスキャン実行手段は、
写真フィルム先端から所定の長さ分を除いてプレスキャンを実行することを特徴とする請求項１に記載のプリント処理システム。
【請求項４】
コマ位置解析手段は、プレスキャンで得られた画像データの全てについて解析を行い、その後、写真フィルム先端からの所定の長さ分についての解析結果で得られたコマ位置については、コマ位置でないと判断することを特徴とする請求項１に記載のプリント処理システム。
【請求項５】
前記所定の長さのデータは、
前記フィルムスキャナーの格納部に予め格納されていることを特徴とする請求項１から請求項４のいずれか１項に記載のプリント処理システム。
【請求項６】
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、この搬送ユニットにおける写真フィルムの搬送制御を行なう搬送制御部とを備えたフィルム処理装置であって、
前記フィルムスキャナーは、
前記写真フィルムのプレスキャンを実行するプレスキャン実行手段と、
前記プレスキャン実行により、コマ位置を解析するコマ位置解析手段と、
前記コマ位置解析手段の解析結果に基づいて、本スキャンを実行する本スキャン実行手段と
を備え、
前記コマ位置解析手段は、
前記写真フィルム先端からの所定の長さ分について除外してコマ位置を解析することを特徴とするフィルム処理装置。
【発明の詳細な説明】
【技術分野】
【０００１】
本発明は、未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、この搬送ユニットにおける写真フィルムの搬送制御を行なう搬送制御部とを備えたフィルム処理装置、及びそのフィルム処理装置を具備するプリント処理システムに関するものである。
【背景技術】
【０００２】
未現像写真フィルムの現像処理を行なうフィルムプロセッサと、現像済み写真フィルムのコマ画像をデジタル画像データとして取得するためのフィルムスキャナーとを結合して一体化したシステムとしては、下記特許文献１に開示される写真感光材料処理装置が公知である。フィルムプロセッサにおいて写真フィルムの現像処理を行う場合には、写真フィルムの先端にフィルムリーダと呼ばれる案内部材を取り付け、写真フィルムはこのフィルムリーダによりフィルムプロセッサ内の各部を移動する。写真フィルムの現像処理及び乾燥処理が終了すると、写真フィルムはフィルムプロセッサから排出されて搬送ユニットへ送り込まれ、まず写真フィルムとフィルムリーダを分離するために写真フィルムの先端部をカットする。フィルムリーダは所定の場所に回収され、現像済み写真フィルムはフィルムスキャナーに引き続き搬送されて、各コマ画像のスキャニングが行われる。
【０００３】
上記のフィルムスキャナーでの各コマ画像のスキャンニングは、２度行われる。すなわち、１度目のスキャンニングは、各コマ画像を含むフィルム全体の画像を低解像度で読み取ることであり、通常、プレスキャンと称される。このプレスキャンでコマ画像数が演算される。次いで、２度目のスキャンニングは、プレスキャン画像から切り出された各コマ画像が高解像度で読み取られ、通常、本スキャンニングと称される。
【０００４】
上記装置とこれに接続されるプリント作成装置からなるシステムにおいて、未現像写真フィルムの現像処理からプリント作成までを自動で処理することが可能である。すなわち、上記装置で現像処理、スキャン処理を連続して行い、スキャン処理で読み取られた画像データをプリント作成装置に送信する。プリント作成装置では、オペレータによる個々のコマ画像ごとの画像判定処理（赤め補正、ガンマ補正処理、プリントサイズ設定、プリント枚数等の設定）を省いて、予め設定された画像処理のみを実行して印画紙に露光して写真プリントを作成する。これにより、フィルム挿入から写真プリントまでを連続して自動で処理することができる。この処理方法を自動同時プリントと称する。
【０００５】
この自動同時プリントにおいて、オペレータは、フィルムをフィルムプロセッサにセットする前に、フィルムと写真プリントを照合するための識別ラベルをフィルムに貼り付ける必要がある。この識別ラベルによりフィルムと写真プリントの照合が簡単に行える。
【０００６】
さらに、上記の装置において、フィルムプロセッサにカートリッジに巻き取ったままのフィルムをそのままセットできないため、予め、カートリッジから所定長さ分のフィルムを引き出し、リーダと呼ばれる先頭ガイド部材（フィルムと同等以上の材質であり、フィルムプロセッサ内での現像処理工程を安定して行わせるために必要なものである）をフィルム先端部分に貼り付ける必要がある。かかるリーダの貼り付け作業は、所定の貼り付け器具（通常、スプライス台と称される）を用いて行われる。この貼り付け作業において、上記したようにフィルム先端から所定の長さ分が引き出されるので、その部分は感光されてしまう。なお、識別ラベルは、この所定の長さ部分に貼り付けられる。
【０００７】
【特許文献１】特開平１１−２３４４７６号公報
【発明の開示】
【発明が解決しようとする課題】
【０００８】
プレスキャン処理において、各コマ画像が画像検出（コマ位置の検出）されるが、上記の識別ラベル、この識別ラベルの周辺に生じる感光部分、又は、上記リーダ貼り付け作業で生じた感光部分をコマ画像であると過って認識することがある。
【０００９】
かかる場合に、スキャナーがこれを異常な画像であると判定した場合には、プリント作成装置の操作画面にて、オペレータがフィルム停止位置の確認を行う必要がある。このフィルム停止位置確認を行わない限り、このフィルムの本スキャンが実行されず、よって、それ以降のフィルムのプリント処理が開始されない。このため、自動処理が中断され、作業効率が低下するので改善が望まれていた。
【００１０】
一方、スキャナーがこれを正常な画像であると判定した場合には、オペレータによる画像判定（個々のコマ画像に対する画像判定）が行われないために、本来であればプリントされない不要な感光部分がプリントされてしまうという問題があり改善が望まれていた。
【００１１】
本発明は上記実情に鑑みてなされたものであり、その課題は、コマ位置誤認識に基づくプリント処理を改善することが可能なフィルム処理装置及びプリント処理システムを提供することである。
【課題を解決するための手段】
【００１２】
上記課題を解決するため本発明に係るプリント処理システムは、
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、この搬送ユニットにおける写真フィルムの搬送制御を行なう搬送制御部とを備えたフィルム処理装置と、
前記取得された画像データに基づいて写真プリントを作成するプリント作成装置とを具備するプリント処理システムであって、
前記写真フィルムのプレスキャンを実行するプレスキャン実行手段と、
前記プレスキャン実行により、コマ位置を解析するコマ位置解析手段と、
前記コマ位置解析手段の解析結果に基づいて、本スキャンを実行する本スキャン実行手段と
前記写真フィルム先端からの所定の長さのデータを格納する格納部と
を備えることを特徴とする。
【００１３】
上記構成の作用効果を以下にしめす。すなわち、フィルム処理装置は、未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、この搬送ユニットにおける写真フィルムの搬送制御を行なう搬送制御部とを備える。ここで、フィルムプロセッサから排出される現像済み写真フィルムは、通常、所定の間隔で排出される。「所定の間隔」は、例えば、現像処理される写真フィルムのインターバル時間である。このインターバル時間は、現像処理とスキャン処理が自動的に行われるように、例えば、フィルム長さ、スキャン解像度、スキャン処理時間、フィルム搬送時間等に基づいて算出される。
【００１４】
そして、フィルムスキャナーで読み取られた画像データは、プリント作成装置に送信され、かかる画像データに基づいて写真プリントが作成される。
【００１５】
プリント作成装置では、通常、個々のコマ画像について画像判定（画像補正の判断等、プリント枚数、プリントサイズの設定等）を行うが、自動同時プリントにおいては、個々のコマ画像についての画像判定が行われず、フィルム処理装置から受信した画像データに予め設定された補正処理を施した後に露光処理・現像処理が行われ写真プリントが作成される。格納部には、予め、写真フィルム先端からの所定の長さのデータが格納されている。この「所定の長さ」のデータは、オペレータが入力手段を用いて適宜設定変更できるように構成されていることが好ましい。
【００１６】
この「所定の長さ」は、以下のように設定される。搬送用リーダをフィルム先端に貼り付ける作業で、スプライス台（貼り付け器具）を用いるため、カートリッジから引きだされるフィルム長さが定まり、この引き出された長さに基づいて設定できる。
【００１７】
プレスキャン実行手段は、写真フィルムのプレスキャンを実行する。そして、コマ位置解析手段は、プレスキャン実行により取得された画像データに基づいて、コマ位置を解析する。コマ位置解析手段は、格納部に格納されている写真フィルム先端からの所定の長さのデータを取得し、この所定の長さに基づいて、コマ位置を解析することができる。コマ位置が決定されると、本スキャン実行手段は、このコマ位置に基づいて、本スキャンを実行する。
【００１８】
本発明において、コマ位置解析手段は、写真フィルム先端からの所定の長さのデータを取得し、当該所定の長さ分について除外してコマ位置を解析することが好ましい。この構成によればコマ位置の解析の場合に、写真フィルム先端からの所定の長さ分については、解析を除外することができる。
【００１９】
したがって、フィルム先端部分の識別ラベルや感光部分等をコマ画像と誤認識する頻度を大幅に低下でき、オペレータによるフィルム停止位置確認要求、そのための確認処理を行うことが無くなり、作業効率が向上する。また、フィルム先端から所定長さの感光部分がコマ画像として認識されて、写真プリント作成されることも少なくなり、ロスプリントが減少するものとなる。
【００２０】
また、他の本発明において、コマ位置解析手段は、プレスキャンで得られた画像データの全てについて解析を行い、その後、写真フィルム先端からの所定の長さ分についての解析結果で得られたコマ位置については、コマ位置でないと判断するように構成してもよい。
【００２１】
また、本発明において、プレスキャン実行手段が、写真フィルム先端から所定の長さ分を除いてプレスキャンを実行することが好ましい実施形態である。この構成によれば、プレスキャン処理において、写真フィルム先端から所定の長さ分を除いてプレスキャン処理するので、コマ画像解析手段が、コマ位置の解析の場合に、写真フィルム先端からの所定の長さ分について解析を除外する必要がなく、プレスキャンで得られた画像データの全てについて解析を行えばよい。
【００２２】
また、本発明において、所定の長さのデータは、フィルムスキャナーの格納部に予め格納されていることは好ましい。フィルム先端からの感光部分が予め定まっているような場合に好適である。
【００２３】
また、他の本発明のフィルム処理装置は、未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、この搬送ユニットにおける写真フィルムの搬送制御を行なう搬送制御部とを備えたフィルム処理装置であって、
前記フィルムスキャナーは、
前記写真フィルムのプレスキャンを実行するプレスキャン実行手段と、
前記プレスキャン実行により、コマ位置を解析するコマ位置解析手段と、
前記コマ位置解析手段の解析結果に基づいて、本スキャンを実行する本スキャン実行手段と
を備え、
前記コマ位置解析手段は、
前記写真フィルム先端からの所定の長さ分について除外してコマ位置を解析することを特徴とする。
【００２４】
かかる構成の作用効果は、上記で説明した内容と同様であるので説明は省略する。
【発明を実施するための最良の形態】
【００２５】
本発明に係るフィルム処理装置の好適な実施形態を図面を用いて説明する。図１は、フィルムプロセッサＦＰとフィルムスキャナーＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受け付け可能なＰＣ端末等）を有するものであってもよい。
【００２６】
＜システムの全体構成＞
図１において、フィルム処理装置ＦＡは、未現像写真フィルムの現像処理を行なうフィルムプロセッサＦＰと、このフィルムプロセッサＦＰにより現像処理された現像済み写真フィルムのコマ画像を光電変換によりデジタルの画像データとして取得するためのフィルムスキャナーＦＳとを上下位置に配置する。そして、フィルム処理装置ＦＡは、フィルムプロセッサＦＰの排出部から排出された現像済み写真フィルムをフィルムスキャナーＦＳの供給部へ搬送するための搬送ユニットＦＣを備えている。
【００２７】
このフィルム処理装置ＦＡは、通信回線を介してプリント作成装置ＰＡに接続される。プリント作成装置ＰＡは、通信機能、オーダー管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにより印画紙等のプリント媒体に画像がプリントされる。オーダー管理・制御は、画像データをオーダー単位で管理し、プリント作成の順序を設定できるように構成される。
【００２８】
なお、プリント作成装置ＰＡは銀塩式の印画紙を使用するものに限定されず、インクジェット型、昇華型のプリント作成装置を用いてもよい。
【００２９】
本発明において、フィルムプロセッサＦＰにより現像処理される前の写真フィルム（コマ画像が潜像状態のもの）を特に未現像写真フィルムと称し、フィルムプロセッサＦＰにより現像処理された後の写真フィルム（コマ画像が顕在化したもの）を特に現像済み写真フィルムと称することがある。
【００３０】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６ａと複数の操作ボタン１６ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済写真フィルムを受け止めるフィルムストッカー１８が形成されている。
【００３１】
フィルム挿入部１１には、開閉自在な蓋体１１ａを備え、フィルムカートリッジＣａ（もしくはパトローネ）に収容されたロール状の未現像写真フィルムをセットし、搬送機構１５に受け渡す作動系（フィルム駆動機構１１ｅ）と、写真フィルムの後端を切断する切断ユニット１１ｂを備える。
【００３２】
また、写真フィルムの長さの情報を得るために、搬送機構１５によって搬送される写真フィルムの先端及び後端の通過を検出するローディングセンサー１１ｃ（フィルム位置検出センサーに相当）を備える。ローディングセンサー１１ｃは、例えば、一対の光学式センサ（受光式、投光式）、反射型センサ、レーザセンサー、その他の近接センサ、イメージセンサー等で構成できるが、一対の光学式センサー（受光式、投光式）が好ましい。このローディングセンサー１１ｃは、フィルム先端位置（もしくはフィルムリーダの先端位置）とフィルム後端位置を検出することができる。これら検出された先端位置と後端位置情報に基づいて、写真フィルムの長さ情報を演算することができる。
【００３３】
ＡＰＳフィルムの現像処理の場合、カートリッジＣａから引き出した写真フィルムの先端にフィルムリーダＬを取り付け、蓋体１１ａを開放して、このフィルムリーダＬが先行するようにフィルム挿入部１１にカートリッジＣａをセットする。写真フィルムＦとフィルムリーダＬとを接続した状態を図３に示す。フィルムリーダＬは、樹脂製のフィルムと同程度の柔軟性を持つシート状部材であり、写真フィルムＦよりも大きな幅寸法を有する。フィルムリーダＬには、多数のパーフォレーションＬａが形成されており、このパーフォレーションＬａと噛み合うスプロケットにより、写真フィルムＦはフィルムプロセッサＦＰ内を搬送される。かかるパーフォレーションＬａを設けることで、フィルムプロセッサＦＰ内をすべりが生じることなく確実に写真フィルムを案内することができる。
【００３４】
パーフォレーションＬａは、好ましくは、図示のようにフィルムリーダＬの幅方向の片側端部（図３（ｂ）参照）に形成されるが、両側端部に形成されていてもよい。写真フィルムＦとフィルムリーダＬとの連結は、図３（ａ）に示すように、フィルムリーダＬに形成された係合突起を写真フィルムＦに形成された孔に挿入することで連結してもよいし、図３（ｂ）に示すように、粘着テープＴにより写真フィルムＦの先端部とフィルムリーダＬとを連結してもよい。使用されるフィルムリーダＬの形状・大きさは予め決まっている。また、フィルムリーダＬと写真フィルムＦの連結は治具を用いて行なうため、フィルムリーダＬに対する写真フィルムＦの連結位置（貼り付け位置）も予め決まっている。
【００３５】
フィルムリーダＬ付きの写真フィルムＦをセットして、蓋体１１ａを閉じた後、コントロールパネル１６の所定の操作ボタン１６ｂを操作することで制御ユニット１７の制御によってフィルム搬送（ローディング）が開始され、現像処理部１２での現像処理と、乾燥処理部１３での乾燥処理の後に排出部１４からフィルムリーダＬを先頭にして写真フィルムが排出される。この場合、カートリッジ検出手段１１ｄがカートリッジＣａを検出して、次いで、蓋体１１ａを閉じると、ローディングが開始され、写真フィルムＦが搬送開始される。
【００３６】
制御ユニット１７は、ローディングを開始するようにフィルムプロセッサＦＰの各要素を制御する。フィルム駆動機構１１ｅが、フィルムリーダＬ及び写真フィルムＦを圧着ローラで狭持しながら現像処理部１２まで搬送し、ローディングセンサー１１ｃが搬送されてきたフィルムリーダＬ及び写真フィルムの先端を検出すると、現像処理部１２及び乾燥処理部１３の搬送機構部１５が駆動され、フィルムリーダＬ及び写真フィルムを圧着ローラで挟持して、現像処理部側に搬送する。ここで、フィルム駆動機構１１ｅと搬送機構１５は、別駆動で動作する。なお、フィルムプロセッサＦＰでの「ローディング」とは、フィルムカートリッジＣａから写真フィルムがフィルム駆動機構１１ｅによって引き出され、現像処理部１２に搬送される動作を意味する。
【００３７】
現像処理部１２は、発色現像槽、漂白槽、定着槽、安定槽を有し、現像処理部１２内部において搬送機構１５は、フィルムリーダＬ及び写真フィルムを搬送するためフィルムリーダＬのスプロケットＬａと係合する複数のスプロケット機構と圧着ローラ機構１５ａを備えている。また、乾燥処理部１３は、現像処理部１２から搬送されてきた写真フィルムを乾燥するブロワ１３ａを備える。同様に、乾燥処理部１３にも上記スプロケット機構と圧着ローラ機構が備えられている。搬送機構１５は、スプロケット機構と圧着ローラ機構１５ａと、これらを電動モータ（不図示）で同期駆動する駆動系を備えている。
【００３８】
排出部１４には、現像済み写真フィルムをフィルムプロセッサＦＰから排出するための排出ローラ１５ｂが設けられている。排出ローラ１５ｂにより排出された写真フィルムは、搬送ユニットＦＣに受け渡されフィルムスキャナーＦＳへと搬送されることになる。
【００３９】
フィルムスキャナーＦＳは、図１，２に示すように、スキャナー本体の下部にフィルムキャリア２１を配置し、このフィルムキャリア２１の下側に光源ユニット２２を、フィルムキャリア２１の上側にズームレンズ２３と光電変換ユニット２４とを配置している。スキャナー本体の内部にスキャナー制御部２５（制御ユニット）を配置している。フィルムスキャナーＦＳは、フィルムプロセッサＦＰに固定されており、排出部１４の排出ブロック上部位置に配置されている。
【００４０】
プレスキャン実行手段２５ａ、コマ位置解析手段２５ｂ、本スキャン実行手段２５ｃは、スキャナー制御部２５の有する機能である。
【００４１】
プレスキャン実行手段２５ａは、写真フィルムのプレスキャンを実行する。また、プレスキャン実行手段２５ａは、写真フィルム先端から所定の長さ分を除いてプレスキャンを実行することができる。
【００４２】
コマ位置解析手段２５ｂは、プレスキャン実行により得られた画像データに基づいて、コマ位置を解析する。コマ位置解析手段２５ｂは、写真フィルム先端からの所定の長さのデータを格納部３００から取得し、当該所定の長さ分について除外してコマ位置を解析することができる。また、コマ位置解析手段２５ｂは、プレスキャンで得られた画像データの全てについて解析を行い、その後、写真フィルム先端からの所定の長さ分についての解析結果で得られたコマ位置については、コマ位置でないと判断することができる。コマ位置解析手段２５ｂは、スキャナー制御部２５の機能として説明したが、これに限定されず、プリント作成装置ＰＡにこの機能をもたせてもよい。すなわち、プレスキャン実行手段２５ａで得られたプレスキャン画像データがプリント作成装置ＰＡに送信され、プリント作成装置ＰＡのコマ位置解析手段がコマ位置を解析し、この解析結果でコマ位置が決定されたら、本スキャン実行手段２５ｃに本スキャン実行指令を行うように構成してもよい。
【００４３】
本スキャン実行手段２５ｃは、コマ位置解析手段２５ｂの解析結果に基づいて、本スキャンを実行する。
【００４４】
データ格納部２５ｄは、プリント作成装置ＰＡの格納部３００に格納されている所定の長さのデータを受信し格納する。また、データ格納部２５ｄは、予め、フィルム先端からの所定の長さを格納することができる。
【００４５】
フィルムキャリア２１は、フィルムプロセッサＦＰの前部と同じ方向に現像済写真フィルムの供給部２１ａを形成し、この供給部２１ａからフィルムを後部側に搬送しながらスキャニングを行えるように構成される。なお、フィルムキャリア２１に写真フィルムを送り出す前に、搬送ユニットＦＣにおいて写真フィルムからフィルムリーダＬを切り離す処理がなされる。また、フィルムキャリア２１は、搬送ローラ２１ｂを駆動する搬送モータ（不図示）を備える。
【００４６】
光源ユニット２２は、Ｒ（赤）、Ｇ（緑）、Ｂ（青）の３原色の発光ダイオード（不図示）を有し、ズームレンズ２３は、焦点距離の調節によって、写真フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００４７】
＜搬送ユニットの構成＞
次に、フィルムプロセッサＦＰから排出された現像済み写真フィルムをフィルムスキャナーＦＳへ搬送するための搬送ユニットＦＣの構成を図４により説明する。図４に示すように、フィルムプロセッサＦＰの排出部１４には、排出ローラ１５ｂが設けられている。
【００４８】
搬送ユニットＦＣは、フレームに固定された搬送ブロックＢと、所定の軸芯周りに回転可能に取り付けられたチャッカーＣとを備えている。搬送ブロックＢの下側のブロック部の上流側端部には、フィルムガイド３０が設けられており、軸芯３０ａ周りに回転可能に軸支されている。フィルムガイド３０は、搬送すべき写真フィルムの幅寸法に対応したガイド部を備えており、図４に示す第１位置と想像線で示す第２位置との間をガイド切替ソレノイド３１によりいずれかの位置に切り替えられる。第１位置にセットされているときは、写真フィルムをフィルムスキャナーＦＳの方向に導くことができる。第２位置にセットしているときは、写真フィルムはフィルムストッカー１８に排出される。
【００４９】
搬送経路に沿って、上流側の搬送ローラ対３２ａと下流側の搬送ローラ対３２ｂとからなるローラ搬送機構３２が設けられている。各搬送ローラ対３２ａ，３２ｂは、駆動ローラと圧着ローラにより構成され、第１駆動モータＭ１により同期駆動される。下流側の搬送ローラ対３２ｂの上流側近傍に第１フィルムセンサー３３とリーダセンサー３４が設けられている。これらのセンサは、発光素子と受光素子からなる光センサであり、写真フィルムやフィルムリーダがセンサ位置を通過すると、透光状態から遮光状態に切り換わることで検出を行なう。第１フィルムセンサー３３とリーダセンサー３４は、図４の紙面に直交する方向から見ると同じ位置に配置されているが、幅方向において異なる位置に配置されており、写真フィルムとフィルムリーダを別々に検出することができる。
【００５０】
下流側搬送ローラ対３２ｂの更に下流側には、写真フィルムとフィルムリーダを切り離すためのカッター３５が設けられており、カットモータ３６により駆動される。カットされたフィルムリーダはリーダーストッカー１９に回収される。カッター３５のすぐ下流側には、第２フィルムセンサー３７が設けられており、フィルムリーダの先端や写真フィルムの先端を検出する。第２フィルムセンサー３７も第１フィルムセンサー３３と同様の光センサで構成することができる。
【００５１】
チャッカーＣはフィルムリーダが切り離された写真フィルムの先端部を挟持ローラ対４０により挟持し、フィルムスキャナーＦＳの供給部２１ａへと搬送する。チャッカーＣは、チャッカー駆動モータにより軸芯４１回りに回転可能に設けられている。チャッカーＣは、図４に示すような写真フィルムを受け取る受け取り位置と、写真フィルムをフィルムスキャナーＦＳに受け渡し可能な受け渡し位置の間を回転可能であり、更に、ループボックス５０内にループを形成するためにループ形成位置において中間停止することができる。
【００５２】
搬送ユニットＦＣの右側の空間はループボックス５０であり、写真フィルムがループを形成するための空間部が形成されている。搬送ユニットＦＣの上部には、第１ガイド部６０と第２ガイド部６１が設けられており、夫々写真フィルムを搬送するための搬送経路６０ａ，６１ａが形成されている。チャッカーＣが受け渡し位置に回転してきたときは、第２ガイド部６１は経路外に退避するように移動し、第１ガイド部６０の搬送経路６０ａに写真フィルムが受け渡される。
【００５３】
ループボックス５０の上方には第１排出経路５１と第２排出経路５２が設けられている。フィルムスキャナーＦＳによるコマ画像の読み取りが終了した写真フィルムは、第１ガイド部６０と第２ガイド部６１を逆方向に搬送され、第１排出経路５１へと導かれる。第１排出経路５１の終端はフィルムストッカー１８へと連結されており、スキャニングを終了した写真フィルムはフィルムストッカー１８に回収される。
【００５４】
フィルムプロセッサＦＰにより現像処理された写真フィルムは、搬送ユニットＦＣを介して自動的にフィルムスキャナーＦＳに送り込まれるが、手動でフィルムスキャナーＦＳに写真フィルムを供給することもできる。この場合は、第１ガイド部６０と第２ガイド部６１を開いて、手動で写真フィルムを供給部２１ａから供給する。例えば、焼き増しプリントの依頼で写真フィルムの現像処理を行わない場合は、手動で写真フィルムをフィルムスキャナーＦＳに供給する。手動で挿入された写真フィルムは、第２排出経路５２から排出されるように構成されている。
【００５５】
フィルムスキャナーＦＳには、搬送経路に沿って搬送ローラ２１ｂが配置されており、その途中に読み取り用の開口部２１ｃが設けられる。この開口部２１ｃの位置に読み取り光軸ＳＬが設定される。供給部２１ａには、ローディングセンサー２６が設けられており、写真フィルムの先端が搬送されてきたことを検出する。この検出に基づいて、各搬送ローラ２１ｂを回転させるための駆動モータを駆動する。また、ローディングセンサー２６とは別にレディセンサー２７が設けられており、このレディセンサー２７による検出タイミングを基準として、写真フィルムの画像スキャニング開始が制御される。
【００５６】
＜フィルム処理装置の制御ブロック構成＞
次に、図５の制御ブロック図によりフィルム処理装置ＦＡの制御機能について説明する。まず、フィルムプロセッサＦＰの制御ユニット１７の主要な機能を説明する。フィルム端部検出部１７ａは、ローディングセンサー１１ｃによる検出信号に基づいて、写真フィルム（フィルムリーダ）の先端位置及び後端位置を検出する。フィルム長さ演算部１７ｂは、フィルム端部検出部１７ａにより検出された先端位置と後端位置の情報に基づいて、写真フィルムの長さを演算する。実際にローディングセンサー１１ｃにより検出されるのはフィルムリーダの先端であるが、フィルムリーダの大きさは予め分かっているため、その分を差し引くことで写真フィルムの長さを演算することができる。通信制御部１７ｃは、搬送ユニットＦＣやフィルムスキャナーＦＳとの通信を行う機能を有する。
【００５７】
フィルム位置演算部１７ｄは、写真フィルムの先端位置情報に基づいて、現像済み写真フィルムが搬送ユニットＦＣ内に送り込まれてくるタイミングを演算する。具体的には、排出ローラ１５ｂから所定距離の位置に写真フィルム先端が到達したことを検出する。カウント部１７ｅは、ローディングセンサー１１ｃにより先端が検出された時点から予め設定された所定時間をカウントする。所定時間をカウント終了した時点で、写真フィルムの先端が排出ローラ１５ｂから所定距離の位置に到達していることになる。なお、時間をカウントするのではなく、搬送機構１５による搬送量をカウントするように構成してもよい。
【００５８】
搬送制御部７０は、搬送ユニットＦＣ内を搬送される写真フィルムの搬送・停止を含む駆動制御を統括的に行なう。また、フィルムプロセッサＦＰの制御ユニット１７及びフィルムスキャナーＦＳのスキャナー制御部２５との通信を行なう。写真フィルムの位置情報や長さ情報は、制御ユニット１７からの通信によりデータを受信することができる。
【００５９】
搬送量演算部７１は、写真フィルムの搬送量を演算する。搬送ユニットＦＣにおいて写真フィルムの搬送・停止の制御を行うためには、写真フィルムの搬送量を監視することが必要である。搬送量の演算は、各モータ（パルスモータ）を駆動するために供給される駆動パルスの数や、搬送ローラに連動して回転するエンコーダからの信号に基づいて、搬送量を演算することができる。あるいはタイマーによる時間カウントを行なって搬送量を演算してもよい。また、搬送量演算部７１は第１フィルム長さカウント部７１ａと第２フィルム長さカウント部７１ｂの機能を備えており、搬送される写真フィルムの長さをカウントする機能を有する。
【００６０】
搬送制御部７０は、ガイド切替ソレノイド３１、第１駆動モータＭ１、第２駆動モータＭ２、第３駆動モータＭ３、チャッカーモータＣＭ、カットモータ３６に対する駆動制御を行なう。第１駆動モータＭ１は、ローラ搬送機構３２を駆動し、第２駆動モータＭ２と第３駆動モータＭ３はチャッカーＣの挟持ローラ対４０を駆動する。チャッカーＣ自身には駆動源は搭載されておらず、チャッカーＣが受け取り位置にあるときは、第２駆動モータＭ２と挟持ローラ対４０とが機械的に連結し、チャッカーＣが受け渡し位置にあるときは、第３駆動モータＭ３と挟持ローラ対４０とが機械的に連結可能に構成されている。第２駆動モータＭ２と第３駆動モータＭ３は、搬送ユニットＦＣのフレームに対して固定されている。
【００６１】
第１・第２フィルムセンサー３３，３７については既に説明した通り、写真フィルム（フィルムリーダ）の先端・後端の検出を行なう。ホームリミットスイッチ３５ａは、カッター３５がホーム位置にあるか否かを検出する。ホームリミットスイッチ３５ａは機械的にカッター３５を検出するものであるが、光センサなど他のタイプのセンサを用いてもよい。
【００６２】
ホームセンサー３８は、チャッカーＣが受け取り位置（ホーム位置）にいることを検出するためのセンサである。ガイド検出センサ６２は、第１ガイド部６０が閉じているか否かを検出するためのセンサである。第１ガイド部６０が閉じているときに、チャッカーＣにより写真フィルムをフィルムスキャナーＦＳに受け渡すことができる。以上の各センサ信号は、搬送制御部７０に送信され、これらの検出結果に基づいて、ソレノイドやモータの駆動制御が行なわれる。
【００６３】
＜プリント作成装置の機能ブロック構成＞
図６を用いて、プリント作成装置ＰＡの機能について説明する。
【００６４】
入力手段１００は、画像データの注文に関する情報であるオーダー情報の入力を受け付ける。例えば、モニター７に表示される操作画面（ＧＵＩ）を参照しながら、キーボード、マウス等の入力操作部８を操作して、オーダー情報が入力されるように機能する。オーダー情報入力の際には、自動同時プリント処理モードを選択入力できる。
【００６５】
制御手段２００は、自動同時プリント処理モードが設定されている場合に、自動同時プリント処理が実行できるように、プリント作成装置ＰＡの各要素を制御し、フィルム処理装置ＦＡの各制御ユニットに自動同時プリント処理モードの指令を行う。
【００６６】
制御手段２００の処理手順は、通常、ソフトウェアで構成され、かかるソフトウェアは、不図示のＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００６７】
格納部３００は、写真フィルム先端からの所定の長さのデータが格納されている。予め格納されていてもよく、オペレータが、オーダー情報の入力の際に設定できるように構成することもできる。かかる場合、コマ位置解析手段２５ｂは、オーダーごとに、所定の長さのデータをプリント作成装置ＰＡから取得するように構成される。
【００６８】
画像判定部４は、フィルム処理装置ＦＡから取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データの設定機能、プリントデータの設定機能、サムネイル画像の設定機能が主たる機能として設けられている。なお、プレジャッジは必ず行なわなければならないものではなく、プレジャッジを省略してプリント処理を行うことも可能である。自動同時プリント処理モードでは、プレジャッジが行われないように構成される。なお、以下において、オーダーデータとは、１オーダーに含まれる画像データ群と、プレジャッジにより設定された補正データ、プリントサイズ、プリント枚数などのプリントデータ、オーダーを特定するデータ（オーダー識別ＩＤ、顧客の氏名、住所、会員ＩＤなどのデータ）により構成される。オーダー情報は、プリントデータの一部を構成する。
【００６９】
オーダー制御部５は、プリント処理すべき画像データをオーダー単位に管理する機能を提供する。オーダー登録部５ａは、画像判定部４によりプレジャッジの終了したオーダーデータを記憶装置６に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００７０】
プリント処理制御部５ｂは、プリント処理指令を後述する画像処理基板９に送信する。そして、この指令に従って、画像処理基板９は、オーダーデータに基づいて、画像処理を行う。
【００７１】
モニター７は、オーダー情報の入力操作画面表示以外に、その他の例えば、プレジャッジを行なうための画面やオーダー管理画面等を表示させるものであり、プリント処理等を行うために必要な画面を提供する。入力操作部８は、キーボードやマウス等により構成され、オーダー情報入力、プリント処理に必要なデータ入力や設定、各種指令を行うために用いられる。
【００７２】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。自動同時プリントでは、予め設定された補正内容の画像処理が実行される。
【００７３】
次に、図６に示すプリント処理部の構成を簡単に説明する。ペーパーマガジン１０１には、写真感光材料（印画紙ともいう）であるペーパーがロール状に収容されている。ペーパーマガジン１０１は、２台を設置することができ、例えば、ペーパー幅の異なるペーパーを予めセットしておくことができる。ペーパーカッターは、ペーパーマガジン１０１から引き出された長尺状のペーパーを設定されたプリントサイズになるように切断する。
【００７４】
露光エンジン１０２ａは、画像処理基板９の展開メモリから送信されてくるプリント用画像データを受け取り、このプリント用画像データに基づいて、ペーパーの乳剤面に画像を焼付露光する。露光エンジン１０２ａとしては、特定の方式のものに限定されるものではなく、例えば、レーザーエンジン、ＣＲＴエンジン、ＰＬＺＴエンジンなどを用いることができる。
【００７５】
裏印字手段１０２ｂは、ペーパーの裏面に、オーダー識別ＩＤ、コマナンバー、プリント処理済枚数、プリント要求枚数、補正テータ等をプリントする機能を有する。裏印字手段１０２ｂは、例えば、ドットインパクトプリンタ、熱転写式プリンタ、インクジェットプリンタ等で実現される。
【００７６】
現像処理部１０３は、画像が焼付露光されたペーパーの現像処理を行い、乾燥処理部１０４は、現像処理されたペーパーの乾燥処理を行なう。ペーパー排出部から仕上がりの写真プリントが装置本体外部に排出され、所定の集積装置（不図示）によりオーダー単位で集積される。
【００７７】
ペーパーセンサー１０６は、ペーパー排出部から排出されるペーパーを検出し、あるオーダーの写真プリントが全て排出されたか否かを検出する。センサ制御部（不図示）は、ペーパーセンサー１０６の駆動制御を行なうと共に、ペーパーセンサー１０６からの信号を受信して解析する。
【００７８】
＜自動同時プリントの動作＞
現像処理とスキャン処理を連続して処理し、スキャン処理で読み取られた画像データをプリント作成装置ＰＡに送信し、個々のコマ画像データの画像判定を行わずに、そのまま、或いは所定の画像処理を施すのみで、画像データに基づく露光処理・現像処理を行い写真プリント作成する自動同時プリント処理の場合について以下に図面を用いて説明する。
【００７９】
まず、未現像写真フィルムに識別ラベル及びリーダを貼り付ける作業について説明する。この作業においては、所定の貼り付け器具（スプライス台）を用いる。図７に示すように、カートリッジからフィルムが所定寸法引き出され、引き出されたフィルム先端にリーダＬが貼り付けられ、さらに、識別ラベルＩＤが貼り付けられる。リーダＬの貼り付け位置は、スプライス台（不図示）によって規定され、リーダＬとフィルムとの貼り合わせ手段として、スプライステープ（粘着テープ）が用いられる。また、識別ラベルＩＤは、貼り付け位置が略設定されている。また、感光部分Ｑが斜線で示される。この感光部分Ｑをかぶりと称することがある。
【００８０】
リーダＬと識別ラベルＩＤが貼り付けられた未現像写真フィルムを、フィルムプロセッサＦＰにセットする。そして、オペレータがプリント作成装置ＰＡ側の操作でオーダー情報（識別ラベルＩＤの情報を含む）を入力すると、ローディングが開始され、現像処理、乾燥処理を経て、排出部１４から現像済み写真フィルムが排出される。格納部３００には、フィルム先端から所定の長さのデータが予め格納されている。所定の長さは、図７に示すように、リーダＬカット後のフィルム先端からの長さであり、任意の値であるが、通常、リーダＬ貼り付け作業で引き出されたフィルムの寸法分に基づいて設定され、例えば、引き出し寸法と同じ値、引き出し寸法より５〜３０ｍｍ程大きい値等である。また、オペレータは、フィルム先端から所定の長さのデータを入力することができる。入力されたデータは、新規データとして保存され、予め格納されているデータを初期値として区別し、新規データが優先して使用される。これは、写真店によって、所定の長さを任意に変更できるようにすることで、写真店の状況に適合した所定の長さを設定できるようにしたものである。
【００８１】
（実施形態１）
以下に、コマ位置解析手段２５ｂが、プレスキャンで取得された画像データを解析する場合に、所定の長さ分を除外してコマ位置の解析を行う動作について図８のフローチャートを用いて説明する。
【００８２】
フィルムプロセッサＦＰによって現像処理されて排出された現像済み写真フィルムは、搬送ユニットＦＣで自動搬送されて、フィルムスキャナーＦＳにセットされる。セットされた現像済み写真フィルムは、プレスキャン実行手段２５ａによってプレスキャンされる（Ｓ１０１）。
【００８３】
次いで、コマ位置解析手段２５ｂが、プレスキャンで取得された画像データを解析し、コマ位置を判断する（Ｓ１０２）。ここで、コマ位置解析手段２５ｂは、プリント作成装置ＰＡの格納部３００に格納されているフィルム先端からの所定の長さのデータを取得する。コマ位置解析手段２５ｂは、コマ位置の解析の際に、この取得された所定の長さ分について、画像データの解析を除外し、それ以降の画像データについてコマ位置判断の解析対象とする。
【００８４】
次いで、コマ位置解析手段２５ｂは、コマ位置の解析結果が本スキャン可能であるか否かを判断する（Ｓ１０３）。本スキャン可能であると判断された場合、本スキャン実行手段２５ｃは、本スキャンを実行する（Ｓ１０４）。本スキャンする場合、コマ位置が決定されているので、フィルム先端からの所定の長さ分について本スキャンされない。本スキャンで取得された画像データは、プリント作成装置ＰＡに送信され、この画像データに基づいて写真プリントが作成される（Ｓ１０５）。
【００８５】
一方、本スキャン可能でないと判断された場合、停止位置確認要求がなされる（Ｓ１０６）。オペレータが停止位置確認を行うと（Ｓ１０７）、ステップＳ１０４に行き、本スキャン実行手段２５ｃによって本スキャンが実行される（Ｓ１０４）。
【００８６】
以上の実施形態によれば、所定の長さ分についてコマ位置解析が実行されないので、コマ位置解析の画像データ対象から上記説明の感光部分、識別ラベル等を画像データであると誤認識することが無くなり、停止位置確認要求をすることがない。
【００８７】
（実施形態２）
以下に、コマ位置解析手段２５ｂが、プレスキャンで得られた画像データの全てについて解析を行い、その後、写真フィルム先端からの所定の長さに相当する部分から得られたコマ位置については、コマ位置でないと判断する動作について図９のフローチャートを用いて説明する。
【００８８】
上記同様にフィルムスキャナーＦＳに自動搬送されてセットされた現像済み写真フィルムは、プレスキャン実行手段２５ａによってプレスキャンされる（Ｓ２０１）。次いで、コマ位置解析手段２５ｂが、プレスキャンで取得された画像データを解析し、コマ位置を判断する（Ｓ２０２）。ここで、コマ位置解析手段２５ｂは、プレスキャンされた画像データのすべてについてコマ位置解析を実行する。
【００８９】
次いで、コマ位置解析手段２５ｂは、コマ位置の解析結果が本スキャン可能であるか否かを判断する（Ｓ２０３）。本スキャン可能であると判断された場合、本スキャン実行手段２５ｃは、本スキャンを実行する（Ｓ２０５）。本スキャンで取得された画像データは、プリント作成装置ＰＡに送信され、この画像データに基づいて写真プリントが作成される（Ｓ２０６）。
【００９０】
一方、本スキャン可能でないと判断された場合、コマ位置解析手段２５ｂは、コマ位置の解析結果において、停止位置確認要求をする画像データの部分が、フィルム先端から所定の長さ部分の画像データであるか否かを判断する（Ｓ２０４）。なお、コマ位置解析手段２５ｂは、プリント作成装置ＰＡの格納部３００に格納されているフィルム先端からの所定の長さのデータを取得する。停止位置確認要求をする画像データの部分が、フィルム先端から所定の長さ部分の画像データである場合、ステップＳ２０５に行き、本スキャン実行手段２５ｃによって本スキャン実行される（Ｓ２０５）。
【００９１】
一方、停止位置確認要求をする画像データの部分が、フィルム先端から所定の長さ部分の画像データでない場合、停止位置確認要求がなされる（Ｓ２０７）。オペレータが停止位置確認を行うと（Ｓ２０８）、ステップＳ２０５に行き、本スキャン実行手段２５ｃによって本スキャンが実行される（２０５）。
【００９２】
以上の実施形態によれば、コマ位置解析結果で停止位置確認要求が必要な場合に、当該停止位置確認要求が必要な画像データの部分が、フィルム先端から所定の長さ分のものであれば、停止位置確認要求を行わず、本スキャン実行することができる。
【００９３】
また、上記において、コマ位置解析手段２５ｂは、コマ位置の解析結果が本スキャン可能であるか否かを判断するように構成したが、本スキャン可能か否かの判断として、解析結果で得られたコマ位置が所定の長さの範囲か否かを判断するように構成してもよい。
【００９４】
また、コマ位置解析の結果、先端部分から本スキャンが可能であると判断された場合、先端部分の画像は、プリント対象から除外するように構成してもよい。フィルム先端から所定の長さ分の範囲で本スキャンされて得られた画像は、プリント処理されないように、プリント作成装置ＰＡに送信されないように構成してもよく、プリント作成装置ＰＡ側でかかる範囲の画像について露光処理されないように構成してもよい。
【００９５】
（実施形態３）
以下に、プレスキャン実行手段２５ａが、写真フィルム先端から所定の長さ分を除いてプレスキャンを実行する動作について説明する。
【００９６】
プレスキャン実行手段２５ａは、プリント作成装置ＰＡの格納部３００に格納されているフィルム先端からの所定の長さのデータを取得する。プレスキャン実行手段２５ａは、取得された所定の長さ分を除外してプレスキャンを実行する。
【００９７】
以上の実施形態によれば、プレスキャン実行の際に、写真フィルム先端から所定の長さ分を除いてプレスキャンを実行するため、プレスキャン対象から上記説明の感光部分、識別ラベル貼り付け部分を適切に除外しているので、画像データであると誤認識をして、停止位置確認要求をすることがない。
【００９８】
以上の実施形態１〜３において、所定の長さをプリント作成装置ＰＡの格納部３００から取得する構成を説明したが、特にこれに制限されず、所定の長さがデータ格納部２５ｄに格納されている場合、コマ位置解析手段２５ｂは、データ格納部２５ｄから所定の長さのデータを取得するように構成できる。また、写真店によって、所望の所定の長さを用いたい場合に、所定の長さのデータが入力できるように構成され、このデータをデータ格納部２５ｄに格納するように構成してもよい。
【００９９】
また、本発明において処理対象となる写真フィルムは、ネガフィルムかポジフィルムか限定されるものではなく、また、１３５タイプやＡＰＳタイプなどの適宜の種類の写真フィルムに対して応用することができる。
【図面の簡単な説明】
【０１００】
【図１】フィルム処理装置を有するプリント処理システム全体の外観構成を示す図
【図２】フィルム処理装置の全体構成を示す断面図
【図３】写真フィルムとフィルムリーダを連結した状態を示す図
【図４】搬送ユニットの構成を示す断面図
【図５】フィルム処理装置の制御機能を示すブロック図
【図６】プリント処理システムの制御機能を示すブロック図
【図７】写真フィルムとフィルムリーダを連結した状態を示す図
【図８】実施形態１の動作を説明するフローチャート
【図９】実施形態２の動作を説明するフローチャート
【符号の説明】
【０１０１】
１        プリント処理システム
１７      制御ユニット
２５      スキャナー制御部
２５ａ    プレスキャン実行手段
２５ｂ    コマ位置解析手段
２５ｃ    本スキャン実行手段
２５ｄ    データ格納部
７０      搬送制御部
３００    格納部
Ｆ        写真フィルム
ＦＰ      フィルムプロセッサ
ＦＡ      フィルム処理装置
ＦＣ      搬送ユニット
ＦＳ      フィルムスキャナー
Ｃ        チャッカー
Ｌ        フィルムリーダ
【図１】
2007202058.tif 000003
【図２】
2007202058.tif 000004
【図３】
2007202058.tif 000005
【図４】
2007202058.tif 000006
【図５】
2007202058.tif 000007
【図６】
2007202058.tif 000008
【図７】
2007202058.tif 000009
【図８】
2007202058.tif 000010
【図９】
2007202058.tif 000011